【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
コンテンツを表示する画像表示装置にネットワーク経由でコンテンツを提供するサーバ装置であって、
外部サービスに記憶されている第１のコンテンツと、操作端末からアップロードされて前記サーバ装置の記憶手段に記憶されている第２のコンテンツとの中から表示させるコンテンツを選択させる一覧画面のインデックス情報を、前記画像表示装置からの要求に応じて前記画像表示装置に提供するインデックス情報処理手段と、
前記一覧画面からの操作者の選択に基づくコンテンツが前記外部サービスに記憶されている第１のコンテンツの場合には、前記外部サービスに記憶されている第１のコンテンツのうちの該操作者の選択に基づくコンテンツを前記外部サービスから取得して前記画像表示装置に提供し、前記一覧画面からの操作者の選択に基づくコンテンツが前記サーバ装置の前記記憶手段に記憶されている第２のコンテンツの場合には、前記サーバ装置の前記記憶手段に記憶されている第２のコンテンツのうちの該操作者の選択に基づくコンテンツを前記記憶手段から取得して前記画像表示装置に提供する画像データ処理手段と、
を有することを特徴とするサーバ装置。
【請求項２】
前記インデックス情報処理手段は、
前記操作者が利用できる前記外部サービス及び前記サーバ装置の前記記憶手段が設定されているユーザ情報に基づき、前記操作者のユーザ情報に含まれる前記操作者が利用できる前記外部サービス及び前記サーバ装置の前記記憶手段から前記インデックス情報を生成して、前記画像表示装置に提供すること
を特徴とする請求項１記載のサーバ装置。
【請求項３】
前記一覧画面は、前記第１のコンテンツを前記外部サービス毎に分類したディレクトリと、前記サーバ装置の記憶手段に記憶されている第２のコンテンツを分類したディレクトリとを含むこと
を特徴とする請求項２記載のサーバ装置。
【請求項４】
前記インデックス情報処理手段は、前記第１及び第２のコンテンツがマルチページから成るフォーマットであるとき、前記一覧画面に前記第１及び第２のコンテンツの情報をディレクトリで表現すること
を特徴とする請求項３記載のサーバ装置。
【請求項５】
前記画像データ処理手段は、フォーマット変換手段を用いて、前記第１及び第２のコンテンツの表示画面を前記画像表示装置に表示させるための画像データを、前記画像表示装置で表示可能なフォーマットに変換すること
を特徴とする請求項１乃至４何れか一項記載のサーバ装置。
【請求項６】
前記画像データ処理手段は、前記第２のコンテンツを、投影回数又は期間に応じて、前記記憶手段から削除すること
を特徴とする請求項１乃至５何れか一項記載のサーバ装置。
【請求項７】
前記インデックス情報処理手段は、期間指定投影の場合、有効期限開始前の前記第１及び第２のコンテンツの情報を前記インデックス情報に含めないこと
を特徴とする請求項１乃至６何れか一項記載のサーバ装置。
【請求項８】
コンテンツを表示する画像表示装置にネットワーク経由でコンテンツを提供するサーバ装置を、
外部サービスに記憶されている第１のコンテンツと、操作端末からアップロードされて前記サーバ装置の記憶手段に記憶されている第２のコンテンツとの中から表示させるコンテンツを選択させる一覧画面のインデックス情報を、前記画像表示装置からの要求に応じて前記画像表示装置に提供するインデックス情報処理手段、
前記一覧画面からの操作者の選択に基づくコンテンツが前記外部サービスに記憶されている第１のコンテンツの場合には、前記外部サービスに記憶されている第１のコンテンツのうちの該操作者の選択に基づくコンテンツを前記外部サービスから取得して前記画像表示装置に提供し、前記一覧画面からの操作者の選択に基づくコンテンツが前記サーバ装置の前記記憶手段に記憶されている第２のコンテンツの場合には、前記サーバ装置の前記記憶手段に記憶されている第２のコンテンツのうちの該操作者の選択に基づくコンテンツを前記記憶手段から取得して前記画像表示装置に提供する画像データ処理手段、
として機能させるためのプログラム。
【請求項９】
前記インデックス情報処理手段は、
前記操作者が利用できる前記外部サービス及び前記サーバ装置の前記記憶手段が設定されているユーザ情報に基づき、前記操作者のユーザ情報に含まれる前記操作者が利用できる前記外部サービス及び前記サーバ装置の前記記憶手段から前記インデックス情報を生成して、前記画像表示装置に提供すること
を特徴とする請求項８記載のプログラム。
【請求項１０】
コンテンツを表示する画像表示装置と、前記画像表示装置にネットワーク経由でコンテンツを提供するサーバ装置とが接続された画像表示システムであって、
前記サーバ装置は、
外部サービスに記憶されている第１のコンテンツと、操作端末からアップロードされて前記サーバ装置の記憶手段に記憶されている第２のコンテンツとの中から表示させるコンテンツを選択させる一覧画面のインデックス情報を、前記画像表示装置からの要求に応じて前記画像表示装置に提供するインデックス情報処理手段と、
前記一覧画面からの操作者の選択に基づくコンテンツが前記外部サービスに記憶されている第１のコンテンツの場合には、前記外部サービスに記憶されている第１のコンテンツのうちの該操作者の選択に基づくコンテンツを前記外部サービスから取得して前記画像表示装置に提供し、前記一覧画面からの操作者の選択に基づくコンテンツが前記サーバ装置の前記記憶手段に記憶されている第２のコンテンツの場合には、前記サーバ装置の前記記憶手段に記憶されている第２のコンテンツのうちの該操作者の選択に基づくコンテンツを前記記憶手段から取得して前記画像表示装置に提供する画像データ処理手段と
を有し、
前記画像表示装置は、
提供された前記インデックス情報に基づき前記一覧画面を表示する一覧画面表示手段と、
提供された前記コンテンツに基づき前記コンテンツの表示画面を表示する表示画面表示手段と
を有することを特徴とする画像表示システム。
【請求項１１】
前記インデックス情報処理手段は、
前記操作者が利用できる前記外部サービス及び前記サーバ装置の前記記憶手段が設定されているユーザ情報に基づき、前記操作者のユーザ情報に含まれる前記操作者が利用できる前記外部サービス及び前記サーバ装置の前記記憶手段から前記インデックス情報を生成して、前記画像表示装置に提供すること
を特徴とする請求項１０記載の画像表示システム。
【手続補正２】
【補正対象書類名】明細書
【補正対象項目名】０００５
【補正方法】変更
【補正の内容】
【０００５】
上記の課題を解決するため、請求項１に記載したサーバ装置は、コンテンツを表示する画像表示装置にネットワーク経由でコンテンツを提供するサーバ装置であって、外部サービスに記憶されている第１のコンテンツと、操作端末からアップロードされて前記サーバ装置の記憶手段に記憶されている第２のコンテンツとの中から表示させるコンテンツを選択させる一覧画面のインデックス情報を、前記画像表示装置からの要求に応じて前記画像表示装置に提供するインデックス情報処理手段と、前記一覧画面からの操作者の選択に基づくコンテンツが前記外部サービスに記憶されている第１のコンテンツの場合には、前記外部サービスに記憶されている第１のコンテンツのうちの該操作者の選択に基づくコンテンツを前記外部サービスから取得して前記画像表示装置に提供し、前記一覧画面からの操作者の選択に基づくコンテンツが前記サーバ装置の前記記憶手段に記憶されている第２のコンテンツの場合には、前記サーバ装置の前記記憶手段に記憶されている第２のコンテンツのうちの該操作者の選択に基づくコンテンツを前記記憶手段から取得して前記画像表示装置に提供する画像データ処理手段と、を有することを特徴とする。